(57)【特許請求の範囲】
【請求項１】
複数の物干し竿支持孔を有する物干しアーム、該物干しアームを高さ調整または収納位置にセット可能な物干し基部、該物干し基部と一体化して形成される壁固定本体、該固定本体に設けられた調整ノブ付き顎部、該顎部と対向して位置し固定脚を有する壁固定スライダー、該壁固定スライダーを摺動可能に装着したスライドアーム部、該スライドアーム部に装着され摺動する前記壁固定スライダーの摺動を前記顎部との対向幅縮小方向にのみ可動し逆方向の動きは固定するラッチ機能からなり、腰壁の厚さに適合調整された顎部と壁固定スライダー間で腰壁を挟持し顎部に設けられた前記調整ノブにて壁固定本体を腰壁に強固に固着することを特徴とする物干しの腰壁取付装置。
【請求項２】
複数の物干し竿支持孔を有する物干しアーム、該物干しアームの高さ調整または収納位置にセット可能な物干し基部、該物干し基部と一体化して形成される壁固定本体、該固定本体に設けられた調整ノブ付き顎部、該顎部と対向して位置し固定脚を有する壁固定スライダー、該壁固定スライダーを摺動可能に装着したスライドアーム部、該スライドアーム部に装着され摺動する前記壁固定スライダーの摺動を前記顎部との対向幅縮小方向のみ可動して逆方向の動きは固定するラッチ機能からなり、取け付る腰壁の厚さに前記壁固定スライダーと顎部間の間隙を適合調整した後、壁固定スライダーをラッチ機能を使い固定し、顎部に設けられた調整ノブにて締め付け、壁固定本体を強固に固定することを特徴とする物干しの腰壁取付工法。
【発明の詳細な説明】
【０００１】
【発明の属する分野】
本発明はバルコニーの腰壁等に簡単、且つ容易に取付可能な物干しの腰壁用取付装置及び取付工法に関するものである。
【０００２】
【従来の技術】
従来、マンション等のバルコニーに設置されている物干しは、バルコニーの腰壁がＲＣの場合にはＲＣアンカー、ＡＬＣの場合にはケミカルアンカー等を打設し、ボルト・ナットにて固定していた。また、アルミ製等の手摺の支柱に直接ボルト・ナット、及びビスを使用して固定されていることも多いが、腰壁にアンカーボルト用の孔を穿つ事や、手摺の支柱に固定用ボルトの孔及びビス孔を穿つことは、建物の設計時より耐久性や安全性を考慮してなされているもので、入居者が勝手に腰壁や手摺の支柱に物干しの固定用孔を穿つことは禁止されている事項である。
【０００３】
従ってマンション等においては入居者は、工事業者が設計に基づき決められた位置に取り付けた画一的な使い勝手に我慢しなくてはならないし、物干しの新設や増設は専門の工事業者に依頼しなくてはならなかった。
【０００４】
【発明が解決しようとする課題】
本発明は上記の問題に鑑みてなされたものであり、バルコニー腰壁の厚さ、ＲＣまたはＡＬＣ等材質を問わず、居住者が簡単且つ容易に取付出来る物干しの腰壁取付装置及び取付工法を提供するもので、本発明に於いては工事業者による取付工事が不要であることから、所謂、ホームセンター、日曜大工、家庭用品販売店等の商品として販売できる物干しの腰壁取付装置及び取付工法を提供する事を目的としている。
【０００５】
【課題を解決するための手段】
本発明に係る物干しの腰壁取付装置及び取付工法は複数の物干し竿支持孔を有する物干しアーム、該物干しアームを保持して上方向、水平方向、収納位置に回動可能な物干し基部、前記物干し基部と一体化して構成される壁固定本体から構成されている。
【０００６】
壁固定本体にはスライドアーム部と調整ノブ付顎部が一体化されており、更にスライドアーム部には、腰壁を挟持するためのラッチ機能の付いた壁固定スライダーが摺動可能に装着されており、前記スライドアーム部を介して顎部と壁固定スライダーはコの字形状の壁挟持部を形成している。
【０００７】
而して本発明は物干し具を腰壁に固定するため、壁固定スライダーをスライドアーム部で摺動させ腰壁の厚さに前記顎部と壁固定スライダー間の幅をラッチ機能にて適合調整し、腰壁の上部からコの字形状の挟持部を緩嵌し顎部とスライドアーム部にて腰壁を挟持した後、顎部に設けられた調整ノブにて強固に固定する。
【０００８】
斯くして本発明に於いては、マンション等の居住者がバルコニー腰壁の任意位置に、所謂、後付工法にて物干し具を取り付ける事が出来、且つ、該取付時には、アンカーボルト等の孔を穿つ必要もなく、また腰壁の厚さ等にも簡単な操作で適合調整可能な物干しの腰壁取付装置及び取付工法を提供するものである。
【０００９】
【発明の実施の形態】
以下、本発明に係る物干しの腰壁取付装置及び取付工法の実施の形態を図１乃至図５に基づき詳説する。
図１乃至図５に於いて同一符号は同一構成要素を示しており、図１は本発明の一実施例を示す平面図、図２は図１の側面図を示している。本発明の物干しの腰壁取付装置及び取付工法は、一体化された物干しアーム１、物干し基部２、壁固定本体３からなる。物干しアーム１は複数の物干し竿支持孔４ａ，４ｂ，４ｃを有しており、該物干しアーム１は、アーム支持軸５、及び物干しアーム１を上方向、水平方向（図２は水平方向を示す）、収納位置にそれぞれ固定可能な係止ピン６ａ，６ｂ，６ｃにて物干し基部２に連繋されている。
【００１０】
物干し基部２と一体成形された壁固定本体３には、スライドアーム部７と調整ノブ８ａ、８ｂが付いた顎部９が設けられており、更にスライドアーム部７の背面にはスライダーラッチ溝１０が刻設されており、前記スライドアーム部７には腰壁１１を挟持するためのラッチ機能１２の付いた壁固定スライダー１３が装着されている。ラッチ機能１２のラッチ１４は、前記スライダーラッチ溝１０に嵌着されており、壁固定スライダー１３の摺動を一方向のみに制限している。また壁固定スライダー１３の前記顎部９との対向面には固定脚１５が設けられている。
【００１１】
図３はスライドアーム部７と壁固定スライダー１３の関係を示す部分拡大断面図であり、スライダーラッチ溝１０には、壁固定スライダー１３のラッチ機能１２に於けるラッチ１４が噛み合っており、ラッチ機能１２の支点１６を中心に後部を１７を軽く押すことにより、矢印Ａ方向に前記壁固定スライダー１３は摺動して、顎部９と壁固定スライダー１３が作り出す腰壁１１への嵌合部１８の幅を縮小方向のみに適合調整出来る。
【００１２】
尚、本発明の物干しアーム１、物干し基部２、壁固定本体３、壁固定スライダー１３，ラッチ機能１２等は合成樹脂、またはアルミダイキャスト製にて製作する事が出来るが、アルミダイキャストの場合はラッチ機能１２部分はバネ機構を組み合わせることにより、合成樹脂製の如く、ラッチ１４に弾性をもたせラッチ機能１２が作動するよう構成する事が出来、他の製作材料の選択も幅広く可能である。
【００１３】
また、図４は前記顎部９に設けられた調整ノブ８ａを説明する部分拡大断面図であり、顎部９に螺合された調整ノブ８ａは、該調整ノブ８ａのネジ部１９が調整ナット２０に螺合しており、調整ノブ８ａを廻すことにより台座２２１を介して調整脚２２ａの出幅を前後させることが出来、嵌合した腰壁１１を前記固定脚１５を介して固定スライダー１３と顎部９の調整脚２２ａ，２２ｂにて挟持して、物干し具、即ち、壁固定本体３を腰壁１１に固着できる。
【００１４】
図５は一般的に厚さの薄いＡＬＣ腰壁１１に本発明の物干しの壁用取付装置及び取付工法を実施した一例を示しており、図１乃至図４と同一符号は同一構成要素を示しており、腰壁１１の厚さＤは薄いものを想定している。
【００１５】
図５に於いて壁固定スライダー１３はラッチ１４の後部１７を押して矢印Ａ方向に摺動させ、腰壁１１への嵌合部１８の幅を調整して、腰壁１１に緩嵌した後、顎部９の調整ノブ８ａ、８ｂを締め付け、前記顎部９の調整脚２２ａ，２２ｂと壁固定スライダー１３の固定脚１５にて腰壁１１を挟持固着している。
【００１６】
尚、スライドアーム部７と一体に成形された物干し基部２にはアーム固定ピン５と可動ピン６にて連結された物干しアーム１が連結されており、腰壁１１に固定された物干し基部２に対して、例えば物干しアーム１は、上方向固定位置２３、水平方向固定位置２４，収納位置２５と連繋作動してなる物干し具を構成している。
【００１７】
【発明の効果】
以上述べたように本発明に係る物干しの腰壁用取付装置及び取付工法は複数の物干し竿支持孔４ａ，４ｂ，４ｃを有する物干しアーム１、該物干しアーム１の高さ調整または収納位置にセット可能な物干し基部２，該物干し基部２と一体化して形成される壁固定本体３、該固定本体３に設けられた調整ノブ８ａ，８ｂ付き顎部９、該顎部９と対向して位置し固定脚１５を有する壁固定スライダー１３、該壁固定スライダー１３を摺動可能に装着したスライドアーム部７，該スライドアーム部７に装着され摺動する前記壁スライダー１３の摺動を前記顎部９との対向幅縮小方向のみ可動して逆方向の動きは固定するラッチ機能１２からなり、腰壁１１の厚さに適合調整された顎部９と固定脚１５を介した壁固定スライダー１３間で腰壁１１を挟持し顎部９に設けられた前記調整ノブ８ａ，８ｂにて壁固定本体３を腰壁１１に強固に固着することを特徴とする物干しの腰壁用取付装置及び取付工法に関するものである。
【００１８】
斯くして本発明に於いては、マンション等の居住者がバルコニー腰壁の任意位置に、所謂、後付工法にて物干し具を取り付ける事が出来、且つ、該取付時には、アンカーボルト等の孔を腰壁に穿つ必要もなく、またバルコニー腰壁の厚さ等にも簡単な操作で適合調整が出来て、簡単に取付が可能なため工事業者による取付が不必要になり、所謂、ホムーセンター、日曜大工、家庭用品販売店の商品として販売出来る等の特徴を有するものであり、本発明の実施によって得られる効果は極めて大きい。
【図面の簡単な説明】
【図１】本発明の実施例を示す平面図である。
【図２】図１の側面図である。
【図３】スライドアーム部と壁固定スライダーの関係を示す部分拡大図である。
【図４】調整ノブを説明する部分拡大図である。
【図５】本発明を比較的薄い腰壁に取り付けた例を示す側面図である。
【符号の説明】
１  物干しアーム
２  物干し基部
３  壁固定本体
４ａ，４ｂ，４ｃ  物干し竿支持孔
５  アーム支持軸
６ａ，６ｂ，６ｃ  係止ピン
７  スライドアーム部
８ａ，８ｂ  調整ノブ
９  顎部
１０  スライダーラッチ溝
１１  腰壁
１２  ラッチ機能
１３  壁固定スライダー
１４  ラッチ
１５  固定脚
１６  支点
１７  後部
１８  嵌合部
１９  ネジ部
２０  調整ナット
２１  台座
２２ａ，２２ｂ  調整脚
２３  上方向固定位置
２４  水平方向固定位置
２５  収納位置
【図１】
0003616073.tif 000002
【図２】
0003616073.tif 000003
【図３】
0003616073.tif 000004
【図４】
0003616073.tif 000005
【図５】
0003616073.tif 000006